(57)【要約】【課題】本考案は、使用過程で摩損が減少し、かつ、摩損によるメンテナンスのコストが低減できるＩＣソケットを提供すること。【解決手段】本考案のＩＣソケットは、ソケット基板と、ソケット基板に装着される複数の導電端子と、その一端がソケット基板の一端に回動自由に取り付けられる第１押圧カバーと、第１押圧カバーの他端に回動自由に取り付けられる第２押圧カバーとを含む。第２押圧カバーの第１押圧カバーに連接する一端には、ソケット基板に係合する係止部が形成され、第２押圧カバーの他端にロック部材が配置される。ソケット基板のロック部材と係止部とに対応する箇所には、係合部と第１軸部とがそれぞれ配置され、且つロック部材はソケット基板の係合部に係合される。第１軸部は、係止部に係合する箇所にスリーブが被覆され、第２押圧カバーが閉鎖状態に位置する際に、このスリーブが係止部に干渉して係合される。【選択図】図４
0003120077.tif 000002
【実用新案登録請求の範囲】
【請求項１】
ソケット基板と、
前記ソケット基板に装着される複数の導電端子と、
その一端が前記ソケット基板の一端に回動自由に取り付けられる第１押圧カバーと、
前記第１押圧カバーの他端に回動自由に取り付けられる第２押圧カバーと
を含むＩＣソケットにおいて、
前記第２押圧カバーの前記第１押圧カバーに連接する一端には、ソケット基板に係合する係止部が形成され、第２押圧カバーの他端にロック部材が配置され、前記ソケット基板の前記ロック部材と係止部とに対応する箇所には、係合部と第１軸部とがそれぞれ配置され、
前記ロック部材はソケット基板の係合部に係合され、
前記第１軸部は、前記係止部に係合する箇所にスリーブが被覆され、前記第２押圧カバーが閉鎖状態に位置する際に、このスリーブが前記係止部に干渉して係合されることを特徴とするＩＣソケット。
【請求項２】
前記第１軸部は、前記スリーブが被覆される箇所の外部側に止め輪が配置され、前記止め輪によりスリーブが第１軸部に固持されることを特徴とする請求項１に記載のＩＣソケット。
【請求項３】
前記係止部は、前記第２押圧カバーの前記第１押圧カバーに連接する一端から下向きに延在するように形成されることを特徴とする請求項２に記載のＩＣソケット。
【請求項４】
前記第１軸部は、前記ソケット基板から突出するように配置され、前記スリーブは前記突出する部分を被覆することを特徴とする請求項３に記載のＩＣソケット。
【請求項５】
前記第１押圧カバーは、前記第１軸部により前記ソケット基板に枢接されることを特徴とする請求項４に記載のＩＣソケット。
【請求項６】
前記第２押圧カバーは、第２軸部により前記ソケット基板に枢接されることを特徴とする請求項５に記載のＩＣソケット。
【請求項７】
前記スリーブは、硬い材料からなることを特徴とする請求項１から請求項６までのいずれか１項に記載のＩＣソケット。
【考案の詳細な説明】
【技術分野】
【０００１】
本考案は、ＩＣソケットに関し、特にＩＣパッケージをソケット基板上に収納して押圧カバーを閉鎖することにより、ソケット基板の導電端子とＩＣパッケージの導電パッドとの電気的な導通を得るようにしたＩＣソケットに関するものである。
【背景技術】
【０００２】
一般に、ＩＣパッケージの実装や測定試験に用いられるＩＣソケットは、特許文献１と特許文献２に掲示される。図６と図７とを参照すると、従来のＩＣソケットは、ソケット基板１０′と、前記ソケット基板１０′内に装着される導電端子（図示せず）と、前記ソケット基板１０′に回動自由に取り付けられる第１押圧カバー１２′と、前記第１押圧カバー１２′に回動自由に取り付けられる第２押圧カバー１４′と、を含む。
【０００３】
前記ソケット基板１０′の一端と第１押圧カバー１２′とは、第１軸部３０′を介して回動自由に枢接され、且つ前記第１押圧カバー１２′と第２押圧カバー１４′は、第２軸部４０′を介して回動自由に取り付けられる。前記第２押圧カバー１４′の第１押圧カバー１２′に取り付けられる一端の両側には、係止部１４８′がそれぞれ形成され、前記ソケット基板１０′の他端の両側には、前記係止部１４８′に係合する突出部２０′がそれぞれ突設して形成される。前記第２押圧カバー１４′には、前記ソケット基板１０′に係合する係合部１４１′が形成される。
【０００４】
使用する時に、まず、前記第１押圧カバー１２′と第２押圧カバー１４′は、開放状態に位置し、ＩＣパッケージ（図示せず）がソケット基板１０′に収納される。次に、前記第１押圧カバー１２′と第２押圧カバー１４′を回動させ、第１押圧カバー１２′は前記ソケット基板１０′を押し、前記第２押圧カバー１４′は第１押圧カバー１２′を押し、そして、前記係止部１４８′が突出部２０′に係合し且つ前記係合部１４１′がソケット基板１０′に係合することで、前記第２押圧カバー１４′がソケット基板１０′に係合される。この時、ＩＣソケットが閉鎖状態に位置し、ＩＣソケットの導電端子は、一端がＩＣパッケージの導電パッドに接続でき、他端が実装基板或いは測定基板の導電パッドに接続する。こうして、ＩＣパッケージの測定を行っている。
【特許文献１】米国特許第５,６０９,４９７号明細書
【特許文献２】米国特許第５,１００,３３２号明細書
【考案の開示】
【考案が解決しようとする課題】
【０００５】
ＩＣパッケージを取外す際に、前記第２押圧カバー１４′の係合部１４１′がソケット基板１０′との係合を解除され、次に、第２押圧カバー１４′が上向きに回動することで、第２押圧カバー１４′の係止部１４８′も前記ソケット基板１０′の突出部２０′との係合を解除される。この時、前記第１押圧カバー１２′を回動させて開放状態に位置させる。さらに、ＩＣパッケージを取外す。しかしながら、開閉動作を繰返すことで、前記第２押圧カバー１４′の係止部１４８′が前記突出部２０′を摩損するおそれがあり、こうして、前記第１押圧カバー１２′とソケット基板１０′との間の緊密押圧を実現しにくい、さらに、ＩＣパッケージの導電パットとＩＣソケットとの間の電気的な接続を達成し難い。
【０００６】
そこで、本考案は、以上の点に鑑みてなされたものであり、改良した新型のＩＣソケットを提供することを目的とする。
【０００７】
本考案は、使用過程で摩損が減少し、かつ、摩損によるメンテナンスのコストが低減できるＩＣソケットを提供することを目的とする。
【課題を解決するための手段】
【０００８】
前記目的を達成するために、本考案のＩＣソケットは、ソケット基板と、前記ソケット基板に装着される複数の導電端子と、その一端が前記ソケット基板の一端に回動自由に取り付けられる第１押圧カバーと、前記第１押圧カバーの他端に回動自由に取り付けられる第２押圧カバーとを含む。前記第２押圧カバーの前記第１押圧カバーに連接する一端には、ソケット基板に係合する係止部が形成され、第２押圧カバーの他端にロック部材が配置される。前記ソケット基板の前記ロック部材と係止部とに対応する箇所には、係合部と第１軸部とがそれぞれ配置され、且つ前記ロック部材はソケット基板の係合部に係合される。前記第１軸部は、前記係止部に係合する箇所にスリーブが被覆され、前記第２押圧カバーが閉鎖状態に位置する際に、このスリーブが前記係止部に干渉して係合される。
【考案の効果】
【０００９】
従来の技術に比べると、本考案は以下の長所がある。本考案のＩＣソケットは、前記第１軸部には、第２押圧カバーの係止部に干渉して係合するスリーブが被覆され、これにより、第２押圧カバーを繰返し開閉する過程で、前記係止部は第１軸部を摩損するおそれが減少され、ＩＣソケットの使用寿命が延長される。且つ、前記スリーブが取り外し可能なので、摩損した場合において取換えが簡便で、ＩＣソケットのメンテナンスのコストが低減される。
【考案を実施するための最良の形態】
【００１０】
以下、図１〜図５を参照すると、本考案のＩＣソケット１の好ましい第１実施形態について、添付図面を参照して説明する。該ＩＣソケット１は、ＩＣパッケージ（図示せず）を回路基板（図示せず）に接続するのに用いられ、ソケット基板１０と、ソケット基板１０内に装着される複数の導電端子（図示せず）と、前記ソケット基板１０の一端に回動自由に取り付けられる第１押圧カバー１２と、前記第１押圧カバー１２に回動自由に取り付けられる第２押圧カバー１４と、を含む。
【００１１】
前記矩形形状を呈するソケット基板１０は、ＩＣパッケージを収容するように形成される収容区（参照記号なし）を有し、前記収容区内にＩＣパッケージを支持するように配置される支持板を有する。該ソケット基板１０の一端には、相対する第１通孔１０２０がそれぞれ形成され、互いに特定距離で離間する一対の第１凸部１０２が延在される。前記一対の第１凸部１０２の間には、底部の中央に係合部１０６が形成される凸台１０４が配置され、本実施形態において、前記係合部１０６は凹み溝である。
【００１２】
前記ソケット基板１０の他端には第１貫通孔１００が形成され、第１軸部２０は前記第１貫通孔１００を貫通し且つソケット基板１０から所定の長さで突出する。前記第１軸部２０のソケット基板１０から突出する部分は、硬い材料からなるスリーブ６０が被覆され、該第１軸部２０のスリーブ６０が被覆される部分の外部側には止め輪６１が配置される。前記止め輪６１により、前記スリーブ６０が第１軸部２０に固持され、動作過程で前記スリーブ６０が第１軸部２０から外れることを防止でき、前記止め輪６１は、操作者によって取外すことができる。
【００１３】
前記第１押圧カバー１２は、内部が空けられた矩形形状を呈する構造であり、ソケット基板１０の第１凸部１０２に対応する一端には、略中央に第２通孔１２２０が形成される第２凸部１２２が延在して形成される。第２軸部３０が前記ソケット基板１０の第１通孔１０２０と前記第１押圧カバー１２の第２通孔１２２０を貫通することにより、第１押圧カバー１２はソケット基板１０に回動自由に取り付けられる。第１押圧カバー１２の他端に、第３通孔１２６が横向きに貫通して形成される。
【００１４】
前記第２押圧カバー１４は、矩形形状を呈する主体部１４０と、前記主体部１４０の一端に枢接されるロック部材１４１とを含む。前記主体部１４０は、前記ロック部材１４１に連接する先端側１４０１と、前記第１押圧カバー１２に枢接される後端側１４０２と、先端側１４０１と後端側１４０２とを連接する両側１４０５とを含む。前記主体部１４０の先端側１４０１の中央には、ドア形状を呈する開口１４２が形成され、該開口１４２の相対する両側縁には、下向きに延在する延在部１４４がそれぞれ形成され、前記各延在部１４４には、開口１４２に連通する第２貫通孔１４４０がそれぞれ形成される。前記開口１４２の横縁には下向きに折曲延在する弾性片１４６が形成され、該弾性片１４６は、第２押圧カバー１４を回動させる過程でロック部材１４２を押圧することができる。
【００１５】
前記主体部１４０の両側１４０５の後端には、第４通孔１４００がそれぞれ形成され、第３軸部４０は第４通孔１４００と前記第１押圧カバー１２の第３通孔１２６を貫通する。これにより、第２押圧カバー１４が第１押圧カバー１２に枢接される。前記主体部１４０の後端側１４０２には、前記ソケット基板１０に係合する係止部１４８が形成され、本実施状態において、係止部１４８は主体部１４０の両側１４０５から下向きに延在し、且つ、前記第４通孔１４００に遠く離す方向へ折曲延在するように形成される。
【００１６】
前記ロック部材１４１には、斜めの加圧部１４１０と、加圧部１４１０に連接する連接部１４１２と、連接部１４１２の底壁から下向きに延在し且つ所定の距離で離間される一対の錠止部１４１６と、を含む。前記連接部１４１２の横断面には、連接部１４１４を貫通するように形成される連接孔１４１４が設けられる。第４軸部５０は、連接孔１４１４と、第２押圧カバー１４の延在部１４４の第２貫通孔１４４０とを貫通し、これにより、ロック部材１４１は第２押圧カバー１４に枢接される。ＩＣソケット１が閉鎖状態に位置する際に、前記錠止部１４１６がソケット基板１０の係合部１０６に係合することで、ロック部材１４１がソケット基板１０に係合され、更に、本考案に係るＩＣソケット１が閉鎖状態に位置される。
【００１７】
使用する際に、前記第１押圧カバー１２と第２押圧カバー１４とは、開放状態に位置し、ＩＣパッケージがソケット基板１０の収容区に収容される。次に、第１押圧カバー１２と第２押圧カバー１４とを閉鎖状態に位置させ、この時、第１押圧カバー１２は前記ＩＣパッケージを押し、前記第２押圧カバー１４は第１押圧カバー１２を押し、かつ、第２押圧カバー１４の係止部１４８は、前記第１軸部２０のソケット基板１０から突出する部分を被覆する前記スリーブ６０に干渉して係合し、前記ロック部材１４１の錠止部１４１６はソケット部材１０の係合部１０６に係合し、これらにより、第２押圧カバー１４はソケット基板１０に係合される。こうして、ＩＣパッケージの導電パッドとＩＣソケット１の導電端子との間に電気的な接続が達成でき、これにより、ＩＣパッケージが測定基板に接続が達成できる。
【００１８】
測定を完了する際に、前記第２押圧カバー１４のロック部材１４１が回動し、ロック部材１４１とソケット基板１０との係合が解除され、次に、第２押圧カバーを上向きに回動させ、これにより、前記第２押圧カバー１４の係止部１４８と前記スリーブ６０との係合が解除される。最後に、第１押圧カバー１２を回動させて開放状態に位置させ、ソケット基板１０に収容されるＩＣパッケージを取外す。
【００１９】
本考案のＩＣソケット１は、第１軸部２０に第２押圧カバー１４の係止部１４８に干渉して係合するスリーブ６０が被覆され、これにより、第２押圧カバー１４を繰返し開閉する過程で、前記係止部１４８は第１軸部２０を摩損するおそれが減少され、ＩＣソケット１の使用寿命が延長される。且つ、前記スリーブ６０が取り外し可能なので、摩損した場合において取換えが簡便で、ＩＣソケット１のメンテナンスのコストが低減される。
【００２０】
以上本考案について好ましい実施の形態を参照して詳細に説明したが、実施形態はあくまでも例示的なものであり、これらに限定されるものではない。本考案に基づきなし得る細部の修正或は変更など、いずれも本考案の請求範囲に属するものである。
【図面の簡単な説明】
【００２１】
【図１】本考案に係るＩＣソケットの分解斜視図である。
【図２】本考案に係るＩＣソケットの第１押圧カバーが閉鎖状態に位置し、かつ第２押圧カバーが開放状態に位置する斜視図である。
【図３】本考案に係るＩＣソケットの第１押圧カバーと第２押圧カバーとが閉鎖状態に位置する斜視図である。
【図４】図３に示すＩＣソケットの他の角度から見た斜視図である。
【図５】本考案に係るＩＣソケットが閉鎖状態に位置する側面図である。
【図６】従来技術のＩＣソケットの第１押圧カバーが閉鎖状態に位置し、かつ第２押圧カバーが開放状態に位置する斜視図である。
【図７】図６に示すＩＣソケットが閉鎖状態に位置する斜視図である。
【符号の説明】
【００２２】
１  ＩＣソケット
１０  ソケット基板
１２  第１押圧カバー
１４  第２押圧カバー
２０  第１軸部
３０  第２軸部
４０  第３軸部
５０  第４軸部
６０  スリーブ
６１  止め輪
１００  第１貫通孔
１０２  第１凸部
１０４  凸台
１０６  係合部
１２２  第２凸部
１２６  第３通孔
１４０  主体部
１４１  ロック部材
１４２  開口
１４４  延在部
１４６  弾性片
１４８  係止部
１０２０  第１通孔
１２２０  第２通孔
１４００  第４通孔
１４０１  先端側
１４０３  後端側
１４０５  両側
１４１０  加圧部
１４１２  連接部
１４１４  連接孔
１４１６  錠止部
１４４０  第２貫通孔
【図１】
0003120077.tif 000003
【図２】
0003120077.tif 000004
【図３】
0003120077.tif 000005
【図４】
0003120077.tif 000006
【図５】
0003120077.tif 000007
【図６】
0003120077.tif 000008
【図７】
0003120077.tif 000009